(57)【要約】      （修正有）【課題】部品点数や組み立て工数を増やすことなく反射部分を設けることができ、夜間の視認性に優れた鞄を提供する。【解決手段】使用者の背中に当接する背板１４と、左右一対の側面部１６と、背板に対向する前面部１８と、底部２０とにより形成された収容部１２を備える。背板の上端部１４ａに、蓋部材２２の基端部２２ａが取り付けられている。基材の外表面に光反射層が形成され、蓋部材の基端部２２ａ以外の周縁部を補強する第一補強用帯体２４を備える。光反射層は、基材表面に接着されたカラー樹脂層と、カラー樹脂層にガラスビーズが積層され、ガラスビーズが露出して成る。【選択図】図１
0003211032.tif 000002
【実用新案登録請求の範囲】
【請求項１】
収容部が形成され、前記収容部の外側に位置した部分の周縁部に縁取り用の帯体が縫い付けられて被覆されている鞄において、
前記帯体の基材表面に再帰反射性の光反射層が設けられ、
前記光反射層は、前記帯体の基材に積層され、前記基材の昼間時に見える地色と同系色の色から成り、高輝性顔料粒子とガラスビーズを含むカラー樹脂層を備え、
前記カラー樹脂層に再帰反射性を有する前記ガラスビーズが露出して設けられ、
前記高輝性顔料粒子を含むカラー樹脂層と前記ガラスビーズが、接着剤層により前記帯体の基材表面に接着されていることを特徴とする鞄。
【請求項２】
前記鞄は、使用者の背中に当接する背板と、左右一対の側面部と、前記背板に対向する前面部と、底部とにより形成された収容部が設けられ、
前記背板の上端部に前記収容部を開閉する蓋部材の基端部が取り付けられ、
前記蓋部材を閉じたとき、前記蓋部材が前記収容部の開口を塞ぐとともに、前記前面部の外表面を覆うランドセルであり、
前記光反射層が形成された前記基材により形成された帯体である第一補強用帯体と第二補強用帯体を備え、
前記蓋部材の前記基端部以外の互いに交差する三方の辺の周縁部に、前記第一補強用帯体が連続して取り付けられ、
前記三方の辺の周縁部が、コの字状に折り曲げられた前記第一補強用帯体に被覆されて前記第一補強用帯体と一体に縫合され、
前記背板の周縁部と前記側面部の端部とが当接した接合部、及び前記背板の周縁部と前記底部の端部が当接した接合部に、前記第二補強用帯体が連続して設けられ、
前記背板の三方に位置した前記各接合部が、コの字状に折り曲げられた前記第二補強用帯体に被覆されて前記第二補強用帯体と一体に縫合されている請求項１記載の鞄。
【請求項３】
前記収容部を背負うための肩ベルトを備え、前記肩ベルトの外表面に光反射層が設けられている請求項２記載の鞄。
【考案の詳細な説明】
【技術分野】
【０００１】
この考案は、児童等が使用する通学用のランドセルや、その他種々の荷物を収容して持ち運ぶための鞄に関する。
【背景技術】
【０００２】
従来、夕方暗くなって帰宅する児童の交通事故を防ぐため、児童が歩行していることを自動車の運転者等が認識しやすいように、ランドセルの外面に各種の光反射部分を設けたものが提案されている。例えば、特許文献１に開示されているランドセルは、蓋部材（被せ蓋）の外表面の周端やや内側の位置や、肩ベルト（背負いベルト）の表面などに、畜光材を含む反射材が取着されている。この反射材は、薄くて細いテープ状のものを用意して、ランドセル基材表面に縫い付けたり、接着材で接着したりして取着される。また、断面が楕円形の細い紐状の反射材を縫い付けることによって取着してもよいものである。
【０００３】
その他、特許文献２に開示されているように、背板の下辺部を覆った保護部材に反射材を塗布又は織り込んだものや、特許文献３に開示されているように、鞄の縁取り部分の縁帯の縫い糸に、光を反射する反射糸を用いた鞄も提案されている。
【先行技術文献】
【特許文献】
【０００４】
【特許文献１】実用新案登録第３０７４８３１号公報
【特許文献２】実用新案登録第３１４４０６６号公報
【特許文献３】実開平６−１９５４０号公報
【考案の概要】
【考案が解決しようとする課題】
【０００５】
特許文献１のランドセルの場合、ランドセル基材等の通常部材に加え、新たにテープ状の反射材を用意しなければならない。また、組み立て工程において、新たにランドセル基材に反射材を取着する作業が必要になる。従って、部品点数が増加することによって管理が煩雑になり、また反射材を取り付ける工数も増加して製造コストがアップするという問題があった。さらに、このテープ状の反射材はランドセルの各部へ単に取り付けられたものであり、ランドセルを構成する部材の補強機能は有していないものである。その他、ランドセルの蓋部材に貼り付けられた反射材は、単にベタ塗り状のものであり、デザイン性やファッション性の点からも多色フルカラー表現ができず、ランドセルのデザインが制約され、外観上も良好なものではなかった。
【０００６】
特許文献２のランドセルの場合も、反射材が設けられた位置が背板の下辺部のみであり、夜間の視認性が悪く、ランドセルの厚みにより、背板の下辺部が隠れてしまい、効果的に児童を認識させることができないものである。また、特許文献２に記載された、反射材材料を塗布する場合、反射させるガラスビーズが良好に表面に露出せず、反射輝度が低いものである。さらに、反射材を織り込んで形成した表皮地は、芯材と接着剤で貼り合わせるので、耐久性に問題がある。
【０００７】
特許文献３の鞄も、単に縁取り部分の糸が光を反射するだけであり、反射する光の強度が弱く、視認性の悪いものであった。
【０００８】
さらに、特許文献１〜３に開示された反射材は、反射材が蓋部材や背板の外表面に取着されて形成されるので、当該反射部分が左右の側方から視認されにくいものである。従って、側方からの視認性を確保するためには、収容部の側面部にも反射材を取り付ける必要があった。
【０００９】
この考案は、上記背景技術に鑑みて成されたものであり、部品点数や組み立て工数を増やすことなく反射部分を設けることができ、デザイン性も良好で、夜間の視認性に優れた鞄を提供することを目的とする。
【課題を解決するための手段】
【００１０】
この考案は、収容部が形成され、前記収容部の外側に位置した部分の周縁部に縁取り用の帯体が縫い付けられて被覆されている鞄であって、前記帯体の表面に再帰反射性の光反射層が設けられ、前記帯体は、前記周縁部をコ字状に被覆して、前記周縁部の互いに交差する三方の辺に亘って連続して設けられている鞄である。
【００１１】
前記光反射層は、前記帯体の基材に積層され、前記基材の昼間時に見える地色と同系色の色から成り、高輝性顔料粒子を含むカラー樹脂層を備え、前記カラー樹脂層に再帰反射性を有するガラスビーズが露出して設けられているものである。
【００１２】
前記光反射層は、前記高輝性顔料粒子を含むカラー樹脂層と前記ガラスビーズが、接着剤層により前記帯体の基材表面に接着されているものでも良い。
【００１３】
前記光反射層は、高輝性顔料粒子とガラスビーズとを含むカラー樹脂層を、前記帯体の基材に印刷して成るものでも良い。
【００１４】
前記鞄は、使用者の背中に当接する背板と、左右一対の側面部と、前記背板に対向する前面部と、底部とにより形成された収容部が設けられ、前記背板の上端部に前記収容部を開閉する蓋部材の基端部が取り付けられ、前記蓋部材を閉じたとき、前記蓋部材が前記収容部の開口を塞ぐとともに、前記前面部の外表面を覆うランドセルである鞄であって、前記蓋部材の前記基端部以外の三方の前記周縁部には、前記光反射層が形成された帯体であり前記周縁部を補強する第一補強用帯体が連続して設けられ、前記周縁部がコの字状に折り曲げられた前記第一補強用帯体に被覆されて一体に縫合されている。
【００１５】
さらに、前記基材の外表面に光反射層が形成された帯体である第二補強用帯体が設けられ、前記第二補強用帯体は、前記背板の周縁部と前記側面部の端部とが当接した接合部、及び前記背板の周縁部と前記底部の端部が当接した接合部の三方の前記周縁部を連続的に補強し、前記接合部が、コの字状に折り曲げられた前記第二補強用帯体に被覆されて一体に縫合されているものである。さらに、前記収容部を背負うための肩ベルトを備え、前記肩ベルトの外表面に光反射層が設けられているものでも良い。
【考案の効果】
【００１６】
この考案の鞄は、鞄の周縁部の補強及び仕上げ用の帯体として、あらかじめ外表面に光反射層が形成された帯体が使用され、通常の組み立て工程に含まれる帯体の縫合作業によって、反射部分を同時に設けることができ、部品点数や組み立て工数が増加しない。しかも、再帰反射性の光反射層は、基材の材料や色を任意に選択することができ、良好な外観を長期間に亘り維持することができ、自然な色合いの光反射層を形成することができる。
【００１７】
また、蓋部材の基端部以外の周縁部の補強及び仕上げ用の帯体として、あらかじめ外表面に光反射層が形成された第一補強用帯体が使用され、通常の組み立て工程に含まれる補強用帯体の縫合作業によって、蓋部材の反射部分を同時に設けることができる。従って、部品点数や組み立て工数が増加しない。
【００１８】
さらに、光反射層が蓋部材の周縁部に沿って太く大きな枠を描くので、夜間でも遠くから視認することができる。特に、第一補強用帯体が蓋部材の端面を含む周縁部をコの字状に被覆しているので、ランドセル等の鞄単体として見た場合、前後左右の方向から光反射層を視認することができる。さらに、同様の光反射層が側面に形成された第二補強用帯体を併用することによって、左右方向からの視認性をより高くすることができる。
【００１９】
また、光反射層の構造を、高輝度顔料粒子を含むカラー樹脂層とガラスビーズから成る再帰反射性の光反射層とし、それを前記帯体表面に設けたことにより、昼間の明るいときは違和感のない良好な外観の配色とすることができるとともに、夜間の視認性を高いものとすることができる。特に、夜間は光反射層が車のヘッドライトを反射して高い視認性が得られ、車の運転手からは容易に児童等を発見でき、事故の予防に大きく寄与するものである。
【００２０】
この他、光反射層を印刷により形成する場合、多色でいろいろな柄の反射層を形成することができ、意匠性に富んだ光反射層を形成することができ、ファッション性や視認性の良い光反射層により、薄暮や夜間の視認性が向上し、事故を効果的に防止し、安全性を高めることができる。
【図面の簡単な説明】
【００２１】
【図１】この考案の一実施形態の鞄であるランドセルを蓋部材側から見た斜視図（ａ）、背板側から見た斜視図（ｂ）である。
【図２】図１のＡ部の拡大図（ａ）、Ａ１−Ａ１断面図（ｂ）である。
【図３】図１のＢ部の拡大図（ａ）、Ｂ１−Ｂ１断面図（ｂ）である。
【図４】この考案の一実施形態の光反射層の製造工程を示す図である。
【考案を実施するための形態】
【００２２】
以下、この考案の一実施形態について、図面に基づいて説明する。この実施形態の鞄は、ランドセル１０であり、図１に示すように、教科書等の物品を収容する収容部１２が設けられ、収容部１２は使用する児童の背中に当接する背板１４と、一対の側面部１６と、背板１４に対向する前面部１８と、底部２０により形成されている。収容部１２は、上端が開口している。
【００２３】
背板１４の上端部１４ａには、収容部１２の開口を覆う略矩形の蓋部材２２が取り付けられている。蓋部材２２は、幅が背板１４の幅とほぼ同じであり、基端部２２ａが背板１４の上端部１４ａに重ねて縫い付けられている。
【００２４】
蓋部材２２の基端部２２ａ以外の３つの端部である周縁部２２ｂには、図２に示すように、第一補強用帯体２４が取り付けられている。第一補強用帯体２４は、図４（ｂ）に示すように、基材２６の外表面に光反射層２８が形成された構造の帯体である。基材２６は、ナイロン製の薄い織物や不織布、合成皮革等であり、例えば、合成皮革である商品名クラリーノ（登録商標）が好適である。
【００２５】
光反射層２８は、例えば、基材２６表面に接着されたポリウレタン樹脂層２８ｄに、光を再帰反射させるガラスビーズ２８ｃが露出して積層されて設けられている。光反射層２８の形成は、図４（ａ）に示すように、ポリウレタン樹脂やポリエステル樹脂から成るフィルム層２８ａの表面に、ポリエチレン樹脂等の仮接着剤層２８ｂを形成し、仮接着剤層２８ｂにガラスビーズ２８ｃを撒布して積層し、その上にカラー樹脂層２８ｄを設ける。この後、カラー樹脂層２８ｄの表面にポリウレタン樹脂系の接着剤層２８ｅを形成し、基材２６の表面に接着剤層２８ｅを対面させて熱圧着し、接着する。この後、図４（ｂ）に示すように、フィルム層２８ａを仮接着剤層２８ｂとともに剥離して、ガラスビーズ２８ｃの表面側を露出させる。仮接着剤層２８ｂを介したフィルム層２８ａとガラスビーズ２８ｃの接着は、カラー樹脂層２８ｄとガラスビーズ２８ｃ及びカラー樹脂層２８ｄと基材２６との接着より弱いので、フィルム層２８ａを仮接着剤層２８ｂとともに容易に剥離できる。カラー樹脂層２８ｄは、高輝性顔料粒子を含み第一補強用帯体２４の地色と同系色の色から成るカラー樹脂から成り、高輝性顔料粒子は、フレーク形状のガラスや雲母を基材とし、その表面に金属や金属酸化物がコーティングされ美しい光沢を有する顔料である。
【００２６】
ガラスビーズ２８ｃは、例えば屈折率が１．５〜２．５のものが使用可能であり、好ましくは、１．５〜２．２であり、より好ましくは１．９±０．５程度が良い。これは、屈折率が１．８５未満であると、ガラスビーズ２８ｃ内に入射した光がガラスビーズ２８ｃの底面で焦点を結ばず、１．９５を超えると、ガラスビーズ内部で焦点を結び、ともに反射輝度が落ちてしまうからである。ガラスビーズ２８ｃの粒径は、１０〜２００μｍ径のものを用いることができ、好ましくは３５〜７５μｍの粒径が好ましく、より好ましくは６５±１０μｍのものが良い。粒径が１０μｍ未満であると、反射輝度が低下し、製造時の歩留まりも悪く製造コストが増加し、２００μｍを超えると、表面がざらつき使用感が悪く、安全性からも好ましくない。
【００２７】
第一補強用帯体２４は、光反射層２８が表面に貼り付けられた大きな基材２６を裁断する等して形成される。光反射層２８は、入射した光が再び入射方向に戻る再帰反射性を有し、基材２６の表面の色と高輝性顔料を含むカラー樹脂層２８ｄの色を同系色とすることにより、昼間の明るいときにも違和感なく綺麗に見えるものである。
【００２８】
なお、光反射層２８は、樹脂中にガラスビーズ２８ｃを混合したカラー樹脂層２８ｄを、基材２６の表面にスクリーン印刷やその他のコーティングにより積層して、再帰反射性を持たせても良い。
【００２９】
蓋部材２２の周縁部２２ｂは、図２（ｂ）に示すように、コの字に折り曲げた第一補強用帯体２４の内側に被覆され、一体に縫合されている。なお、従来のランドセルも、蓋部材２２の周縁部２２ｂに基材２６のみから成る帯体を縫い付けて補強する構造が使用されているので、あらかじめ光反射層２８が形成された第一補強用帯体２４を使用しても、組み立て工数は増加しない。また、ここでは、蓋部材２２の外側面を覆う第一補強用帯体２４を二重に折り曲げて袋部２４ａを設け、第一補強用帯体２４の裁断面が露出しないように縫合することにより、高級感のある構造になっている。
【００３０】
図３に示すように、背板１４の上端部１４ａ以外の３つの端部である周縁部１４ｂと、一対の側面部１６の各端部１６ａ及び底部２０の端部２０ａとが互いに当接して接合部３２となり、第二補強用帯体３０と共に縫い付けられている。
【００３１】
第二補強用帯体３０は、第一補強用帯体２４と同様に、基材２６の外表面に光反射層２８が形成された帯体である。接合部３２は、図３（ｂ）に示すように、コの字状に折り曲げられた第二補強用帯体３０の内側に被覆され、第二補強用帯体３０と一体に縫合されている。このとき、接合部３２の特定部分について、第二補強用帯体３０を複数重ねて縫合してもよい。例えば、接合部３２のうちの底部２０寄りの部分は、児童がランドセル１０を乱暴に地面に置いたりしたときストレスが生じやすいので、第二補強用帯体３０を複数重ねて強化しておくことが好ましい。なお、従来のランドセルでも、接合部３２に基材２６のみから成る帯体を縫い付けて補強する構造が使用されているので、あらかじめ光反射層２８が形成された第二補強用帯体３０を使用しても、組み立て工数は増加しない。
【００３２】
収容部１２には、背板１４の上端部１４ａ付近から底部２０にかけて、一対の肩ベルト３４が設けられている。肩ベルト３４は、例えば、スポンジ材等を表生地と裏生地で包んで成る上部ベルト３４ａと、先端に取り付けたバックル等を介して上部ベルト３４ａに連結される下部ベルト３４ｂとで構成されている。ここは、図示するように、上部ベルト３４ａの表生地（児童がランドセル１０を背負ったときに外側に露出する方の生地）の表面にも、上記と同様の光反射層２８が形成されていると、より好ましい。
【００３３】
以上説明したように、ランドセル１０は、蓋部材２２の基端部２２ａ以外の周縁部２２ｂの補強用の帯体として、あらかじめ外表面に光反射層２８が形成された第一補強用帯体２４が使用され、通常の組み立て工程に含まれる補強用帯体の縫合作業によって、蓋部材２２の反射部分を同時に設けることができる。従って、部品点数や組み立て工数が増加しない。
【００３４】
また、光反射層２８は、蓋部材２２の周縁部２２ｂに沿って太く大きな枠を描き、夜間でも遠くから視認することができる。特に、第一補強用帯体２４が蓋部材２２の端面を含む周縁部２２ｂをコの字状に被覆しているので、光反射層２８をランドセル１０の前後左右から視認することができる。さらに、同様の光反射層２８が形成された第二補強用帯体３０及び肩ベルト３４を併用することによって、前後左右からの視認性をより高くすることができる。また、光反射層２８は、ガラスビーズを混合した構造なので、昼間の明るいときも見栄えの良い綺麗な装飾ラインとなる。
【００３５】
なお、この考案のランドセル等の鞄は上記実施形態に限定されるものではない。光反射層の構成は再帰性を有するものが好ましいが、それ以外のものでもよく、例えば、畜光性を有したものでもよい。また、夜間における反射部分の見栄えやデザイン性を高めるため、光反射部分を上記以外の位置に追加的に設けても構わない。
【符号の説明】
【００３６】
１０  ランドセル
１２  収容部
１４  背板
１４ａ  上端部
１４ｂ  周縁部
１６  側面部
１６ａ  端部
１８  前面部
２０  底部
２０ａ  端部
２２  蓋部材
２２ａ  基端部
２２ｂ  周縁部
２４  第一補強用帯体
２６  基材
２８  光反射層
２８ａ  ドライラミネート層
２８ｂ  インク層
２８ｃ  ビーズシート層
３０  第二補強用帯体
３２  接合部
３４  肩ベルト
【図１】
0003211032.tif 000003
【図２】
0003211032.tif 000004
【図３】
0003211032.tif 000005
【図４】
0003211032.tif 000006